(57)【要約】【課題】汚染土壌を浄化する際に混在物の分別を乾式で実施する場合に有害物が空気中に飛散し、環境への悪影響の恐れがある。【解決手段】掘削された汚染土壌１を水を入れた水槽２に投入し、投入された汚染土壌１をバックホー等を用いてかき回すことにより、まず木屑、プラスチック等浮遊物を除去し、次いで磁選機を用いて鉄筋、空き缶、鉄線等の鉄屑を除去し、鉄屑を除去した後に、選別機を使用して所定の大きさの砂、礫を分離し、減量化された残渣を含む泥水に重金属捕集剤１５や凝集剤１７を添加して固液分離を行い、脱水ケーキ２０を得る。【選択図】図１
2008012393.tif 000002
【特許請求の範囲】
【請求項１】
汚染土壌を有害物水封水槽に投入し、汚染土壌に含まれた有害物を水封する状態下で前記汚染土壌から混在物を除去することを特徴とする汚染土壌の浄化方法。
【請求項２】
水封下で混在物を除去した汚染土壌の沈殿物から湿式の選別機を用いて段階的に砂、礫を分別して除去することを特徴とする請求項１に記載の汚染土壌の浄化方法。
【請求項３】
水封下で混在物を除去した汚染土壌の沈殿物から湿式の選別機を用いて段階的に砂、礫を分別して除去し、その後に泥水に重金属捕集剤もしくは凝集剤の少なくとも何れかを添加して固液分離することを特徴とする請求項１に記載の汚染土壌の浄化方法。
【請求項４】
水封下にある汚染土壌から水に浮く混在物を浮遊分離した後に、沈殿物中の混在物である金属屑を磁選機を用いて除去することを特徴とする請求項１に記載の汚染土壌の浄化方法。
【請求項５】
水封下にある汚染土壌から重機により特大物の混在物を除去することを特徴とする請求項１に記載の汚染土壌の浄化方法。
【発明の詳細な説明】
【技術分野】
【０００１】
本発明は汚染土壌の浄化方法に関し、特に汚染土壌に混入した混在物を除去する技術に係るものである。
【背景技術】
【０００２】
従来、汚染土壌が存在する地域としては、廃棄物等の埋立により造成されたところが多くある。また、当該地域には土砂に混じって木屑や鉄屑等の各種屑等（以下混在物という）が埋められている場所が多数存在する。
【０００３】
これらの地域では混在物が汚染土壌を浄化する作業の妨げとなるので、前処理としてバックホー等の重機を使用して特大の混在物を取り除いた後に、手作業や乾式篩いにかける等の方法によって土砂と混在物を分別していた。
【０００４】
この種の先行技術には、例えば特許文献１に開示するものがある。これは、汚染土壌前処理装置として有害物質の大部分を含む１ｍｍ以下（好ましくは０．２ｍｍ以下）の粒径の微粒の土壌を分別する分別手段を備えるものである。分別手段は、内部に土壌を投入する塔本体と、この塔本体内に高さ方向に沿って間隔をあけて取り付けた下方側ほどメッシュサイズの小さくなる複数のふるいと、塔本体を振動させる加振機と、分別された土壌を塔本体から送出する送出口と、塔本体に取り付けられて熱風を送給して土壌を乾燥させる熱風送給機とを備えている。
【０００５】
また、特許文献２には土壌分別装置が記載されている。これは、第１ホッパーから連続して送出される土壌を一定間隔置きに抽出して分析装置で分析するものであり、分析装置で分析する間に第１ホッパーから送出する土壌を第２ホッパーで一時的に貯留する。第２ホッパーから送出する土壌は、分析装置の分析結果に応じて仕分け装置で仕分けして、汚染土壌用のストックヤードと、非汚染土壌用のストックヤードとに送出する。第２ホッパーに貯留した土壌が排出し終わるまでの間、第１ホッパーから送出する土壌を一時的に貯留する仮受体を設けて、先行する土壌群と後続する土壌群とが第２ホッパー内で混じり合うのを防ぐ。以て、対象土壌は分析装置の分析に要する時間分だけ送出される土壌群ごとに分析して汚染土壌と非汚染土壌とに連続して分別する。
【０００６】
また、特許文献３には土壌浄化装置が記載されている。これは、残留性有機汚染物質であるハロゲン化合物または油を含んでいる有害物質で汚染された土壌を洗浄槽内に投入し、洗浄槽内に抽出溶剤を循環給排して土壌を洗浄するものであり、洗浄槽内に投入する土壌の透液性及び透気性を高めるために土壌に砂及びビーズの少なくとも一方を予め混合するものである。
【特許文献１】特開２００１−２１９１５５号公報
【特許文献２】特開２００６−６１８５１号公報
【特許文献３】特許第３７４００７６号公報
【発明の開示】
【発明が解決しようとする課題】
【０００７】
しかし、上述したように前処理として汚染土壌の浄化作業の妨げとなる特大の混在物をバックホー等の重機で取り除くには多大な手間と費用を要する。また、特大の混在物を除去した汚染土壌を乾燥させて後に手作業や乾式篩いにかけて土砂と混在物を分別する方法では、汚染土壌の乾燥のために必要なエネルギーや費用が多大となる。更に、乾式で行う場合には、有害物が空中へ飛散して周辺環境が悪化する恐れがあった。
【０００８】
本発明は、前処理として土砂と混在物を安全かつ効率的にしかも経済的に分けることができる汚染土壌の浄化方法を提供することを目的とする。
【課題を解決するための手段】
【０００９】
上記の課題を解決するために、本発明の汚染土壌の浄化方法は、汚染土壌を有害物水封水槽に投入し、汚染土壌に含まれた有害物を水封する状態下で前記汚染土壌から混在物を除去することを特徴とする。
【００１０】
また、水封下で混在物を除去した汚染土壌の沈殿物から湿式の選別機を用いて段階的に砂、礫を分別して除去することを特徴とする。
また、水封下で混在物を除去した汚染土壌の沈殿物から湿式の選別機を用いて段階的に砂、礫を分別して除去し、その後に泥水に重金属捕集剤もしくは凝集剤の少なくとも何れかを添加して固液分離することを特徴とする。
【００１１】
また、水封下にある汚染土壌から水に浮く混在物を浮遊分離した後に、沈殿物中の混在物である金属屑を磁選機を用いて除去することを特徴とする。
また、水封下にある汚染土壌から重機により特大物の混在物を除去することを特徴とする。
【発明の効果】
【００１２】
本発明によれば、水封下において汚染土壌から混在物を除去するので、汚染土壌中の有害物質が空中へ飛散することを防止でき、安全で、効率的に汚染土壌を浄化することができ、しかも乾燥を必要としない湿式で分別することにより省エネルギーを実現して経済的である。
【発明を実施するための最良の形態】
【００１３】
以下、本発明の実施の形態を図面を用いて説明する。図１〜図２は本発明の汚染土壌の浄化方法を示すブロック図である。図１〜図２に示すように、まず、汚染土壌１を有害物水封水槽２に投入する。汚染土壌１は土砂、木屑、鉄屑等の各種屑の混在物を含み、これらの混在物が汚染土壌を浄化する作業の妨げとなる。
【００１４】
このため、有害物水封水槽２へ水封用の水３を供給し、水中において汚染土壌１に含まれた有害物を水封する状態下で汚染土壌１から混在物を除去する。有害物水封水槽２の第１除去工程では水封下にある汚染土壌１から水に浮く木屑等の混在物を浮遊分離し、浮遊物４を汚染土壌１から分離除去する。第２除去工程では水封下にある汚染土壌１の沈殿物から混在物である鉄筋、空き缶、鉄線等の鉄屑５を磁選機を用いて除去する。第３除去工程では水封下にある汚染土壌１からバックホー等の重機により瓦礫等の混在物の特大物６を除去し、有害物水封水槽２に残留する水は槽外へ一旦取り出し、静置後に上澄水７として有害物水封水槽２へ戻す。そして、汚染土壌１はその団粒を所定のサイズ以下にした後に、次の解砕・水洗設備８へ移動させる。
【００１５】
前述の有害物水封水槽２における処理だけでは大きいサイズの団粒が残ることがあるので、解砕・水洗設備８では十分浄化を行うために水９を供給して水洗を行いながらロッドスクラバー、ボールミルなどの攪拌解砕機により団粒の解砕を行う。
【００１６】
解砕・水洗設備８の解砕物は１次分離設備１０および２次分離設備１１において所定サイズの礫、砂等を段階的に分別して除去する。つまり、１次分離設備１０の第１分別工程では湿式の選別機を用いて網等の篩により礫・粗砂１２を除去し、さらに２次分離設備１１の第２分別工程では湿式サイクロン等の選別機を用いて砂等１３を除去する。
【００１７】
以上の工程を経た後に、最終的に粘土、シルト等の微粒子を含む泥水（濁水）が残る。この濁水を濁水槽１４に導入し、これに重金属捕集剤１５を添加して有害重金属を沈殿させる重金属捕集工程を行う。その後に、濁水を濁水処理設備１６に導入し、これに凝集剤１７を添加して濁水中に存在する土粒子等を凝集させる。なお、本実施の形態では、重金属捕集剤１５および凝集剤１７を用いたが何れか一方を添加する場合もある。
【００１８】
凝集沈殿した汚泥は貯泥槽１８に貯留し、その後に脱水設備１９に導入してフィルタープレス等を用いて脱水し、有害物が濃縮された脱水ケーキ２０を得る。脱水設備１９の濾過水２１は濁水槽１１に返送する。
【００１９】
脱水ケーキ２０は汚染土壌を大幅に減量化して有害物を濃縮したものであり、二次処理として溶融処理や資源回収、埋立処分を経済的に行うことができる。
尚、本発明は上述した実施形態に限定されるものではなく、種々の手段を用いて実施することが可能である。
【産業上の利用可能性】
【００２０】
本発明によれば、水封下で混在物を除去する前処理を行うことで有害物の空中への飛散が防止できる。この水封下で前処理を行なうことを前提とするので、汚染土壌は湿らせたままで掘削して処理施設へ搬入することができ、従来の乾式で分離する方法では汚染土壌を予め乾燥するために粉塵が発生して周辺環境の悪化を招く恐れがあるが、本発明では有害性の粉塵の発生が起こらないので、粉塵対策のための除塵施設の設置が不必要であり、経済的である。
【図面の簡単な説明】
【００２１】
【図１】本発明の実施の形態における汚染土壌の浄化方法を示すブロック図
【図２】同実施の形態における汚染土壌の浄化方法を示すブロック図
【符号の説明】
【００２２】
１    汚染土壌
２    有害物水封水槽
３    水封用の水
４    浮遊物
５    鉄屑
６    特大物
７    上澄水
８    解砕・水洗設備
９    水
１０    １次分離設備
１１    ２次分離設備
１２    礫・粗砂
１３    砂
１４    濁水槽
１５    重金属捕集剤
１６    濁水処理設備
１７    凝集剤
１８    貯泥槽
１９    脱水設備
２０    脱水ケーキ
２１    濾過水
【図１】
2008012393.tif 000003
【図２】
2008012393.tif 000004